(57)【要約】【課題】画像のスケーリング処理を好適に行う機器を判断できるスケーリング処理システム、映像出力装置及び再生装置を提供する。【解決手段】ＨＤＭＩで接続された再生装置１０と映像出力装置２０とを有するスケーリング処理システム１において、映像出力装置２０の制御部３１は、再生装置１０のスケーリング処理時の画素補間方法を示す画素補間方法情報を受信し、これと映像出力装置２０の画素補間方法情報とを比較して、再生装置１０と映像出力装置２０との何れの画素補間方法が高性能かを判断し、高性能と判断された画素補間方法情報を保持する装置をスケーリング処理に用いる装置として決定し、決定された装置にスケーリング処理させる制御を行い、再生装置１０は、映像出力装置２０に対して、再生装置１０の画素補間方法情報を返信する。【選択図】図２
2011004148.tif 000002
【特許請求の範囲】
【請求項１】
ＨＤＭＩ（High Definition Multimedia Interface）を介して接続された再生装置と映像出力装置とを有するスケーリング処理システムにおいて、
前記映像出力装置及び前記再生装置は、それぞれ、当該スケーリング処理システムにおけるスケーリング処理時の画素補間方法の優劣を決定する画素補間方法テーブルを備え、
前記映像出力装置は、
前記再生装置に対して、当該再生装置のスケーリング処理時の画素補間方法を示す画素補間方法情報を要求する要求信号を送信する要求信号送信手段と、
前記要求信号に応答して前記再生装置から返信された画素補間方法情報を受信する画素補間方法情報受信手段と、
前記画素補間方法情報受信手段により受信された前記再生装置の画素補間方法情報と、当該映像出力装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備え、
前記再生装置は、
前記映像出力装置の前記要求信号送信手段により送信された前記要求信号を受信する要求信号受信手段と、
前記映像出力装置に対して、前記要求信号に応答して当該再生装置の画素補間方法情報を返信する画素補間方法情報返信手段と、
を備えることを特徴とするスケーリング処理システム。
【請求項２】
ＨＤＭＩを介して接続された再生装置と映像出力装置とを有するスケーリング処理システムにおいて、
前記映像出力装置及び前記再生装置は、それぞれ、当該スケーリング処理システムにおけるスケーリング処理時の画素補間方法の優劣を決定する画素補間方法テーブルを備え、
前記再生装置は、
前記映像出力装置に対して、当該映像出力装置のスケーリング処理時の画素補間方法を示す画素補間方法情報を要求する要求信号を送信する要求信号送信手段と、
前記要求信号に応答して前記再生装置から返信された画素補間方法情報を受信する画素補間方法情報受信手段と、
前記画素補間方法情報受信手段により受信された前記映像出力装置の画素補間方法情報と、当該再生装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備え、
前記映像出力装置は、
前記再生装置の前記要求信号送信手段により送信された前記要求信号を受信する要求信号受信手段と、
前記再生装置に対して、前記要求信号に応答して当該映像出力装置の画素補間方法情報を返信する画素補間方法情報返信手段と、
を備えることを特徴とするスケーリング処理システム。
【請求項３】
前記要求信号送信手段は、ＨＤＭＩのＣＥＣ（Consumer Electronics Control）ベンダコマンドにより前記要求信号を送信し、
前記画素補間方法情報返信手段は、ＨＤＭＩのＣＥＣベンダコマンドにより前記画素補間方法情報を返信することを特徴とする請求項１又は２に記載のスケーリング処理システム。
【請求項４】
ＨＤＭＩを介して接続された再生装置と接続される映像出力装置において、
スケーリング処理時の画素補間方法の優劣を決定する画素補間方法テーブルと、
前記再生装置に対して、当該再生装置のスケーリング処理時の画素補間方法を示す画素補間方法情報を要求する要求信号を送信する要求信号送信手段と、
前記要求信号に応答して前記再生装置から返信された画素補間方法情報を受信する画素補間方法情報受信手段と、
前記画素補間方法情報受信手段により受信された前記再生装置の画素補間方法情報と、当該映像出力装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備えることを特徴とする映像出力装置。
【請求項５】
ＨＤＭＩを介して接続された映像出力装置と接続される再生装置において、
スケーリング処理時の画素補間方法の優劣を決定する画素補間方法テーブルと、
前記映像出力装置に対して、当該映像出力装置のスケーリング処理時の画素補間方法を示す画素補間方法情報を要求する要求信号を送信する要求信号送信手段と、
前記要求信号に応答して前記映像出力装置から返信された画素補間方法情報を受信する画素補間方法情報受信手段と、
前記画素補間方法情報受信手段により受信された前記映像出力装置の画素補間方法情報と、当該再生装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備えることを特徴とする再生装置。
【発明の詳細な説明】
【技術分野】
【０００１】
本発明は、画像のスケーリング処理を最適に行うスケーリング処理システム、映像出力装置及び再生装置に関する。
【背景技術】
【０００２】
映像信号には、ＮＴＳＣ（National Television System Committee）、ＰＡＬ（Phase Alternating Line）、ハイビジョン、パソコン信号等の多種のフォーマットが存在する。このような多様なフォーマットの映像信号を、種々の画素数をもつディスプレイに表示しようとする場合には、各ディスプレイの画素数に合わせて信号フォーマットを変換するスケーリング処理が必要である。
従来、デジタル映像のスケーリング処理の手法である画素間補間の方法として、例えば、線形補間方法、３次元補間法、スプライン補間法などが知られている。これらは周辺の画素から一様に補間フィルタで処理された画素を元画素間に追加していく方法である。
【０００３】
ところで、例えば、ＤＶＤ（Digital Versatile Disc）レコーダとテレビジョン受像機のようなＡＶ（Audio Visual）機器間においてスケーリング処理を行う場合、一般に、ＤＶＤレコーダ側でスケーリング処理する方法と、テレビジョン受像機側でスケーリング処理する方法とが知られている。この時、２つの機器のどちらでスケーリング処理を行うか判断する必要がある。
そこで、２つの機器のうちどちらでスケーリング処理を行うか判断する技術が開発されている（例えば、特許文献１参照。）。
【先行技術文献】
【特許文献】
【０００４】
【特許文献１】特開２００８−２５９１８０号公報
【発明の概要】
【発明が解決しようとする課題】
【０００５】
こうした判断においては、機器の中で最も高性能なスケーリング処理を実行可能な機器を選択するのが理想である。
しかしながら、解像度などの数値で判断可能なスケーリング性能の優劣の比較は容易であるが、画素間補間方法には絶対的な評価方法がなく主観的に決められるのが一般的である。特許文献１においても、画素補間方法についての具体的な判断基準の設定について開示されていないため、必ずしも最適なスケーリング処理がされない恐れがあった。
【０００６】
本発明の課題は、より好適な画素補間方法でのスケーリング処理を行うことができるスケーリング処理システム、映像出力装置及び再生装置を提供することである。
【課題を解決するための手段】
【０００７】
請求項１に記載の発明は、
ＨＤＭＩ（High Definition Multimedia Interface）を介して接続された再生装置と映像出力装置とを有するスケーリング処理システムにおいて、
前記映像出力装置及び前記再生装置は、それぞれ、当該スケーリング処理システムにおけるスケーリング処理時の画素補間方法の優劣を決定する画素補間方法テーブルを備え、
前記映像出力装置は、
前記再生装置に対して、当該再生装置のスケーリング処理時の画素補間方法を示す画素補間方法情報を要求する要求信号を送信する要求信号送信手段と、
前記要求信号に応答して前記再生装置から返信された画素補間方法情報を受信する画素補間方法情報受信手段と、
前記画素補間方法情報受信手段により受信された前記再生装置の画素補間方法情報と、当該映像出力装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備え、
前記再生装置は、
前記映像出力装置の前記要求信号送信手段により送信された前記要求信号を受信する要求信号受信手段と、
前記映像出力装置に対して、前記要求信号に応答して当該再生装置の画素補間方法情報を返信する画素補間方法情報返信手段と、
を備えることを特徴とする。
【０００８】
請求項２に記載の発明は、
ＨＤＭＩを介して接続された再生装置と映像出力装置とを有するスケーリング処理システムにおいて、
前記映像出力装置及び前記再生装置は、それぞれ、当該スケーリング処理システムにおけるスケーリング処理時の画素補間方法の優劣を決定する画素補間方法テーブルを備え、
前記再生装置は、
前記映像出力装置に対して、当該映像出力装置のスケーリング処理時の画素補間方法を示す画素補間方法情報を要求する要求信号を送信する要求信号送信手段と、
前記要求信号に応答して前記再生装置から返信された画素補間方法情報を受信する画素補間方法情報受信手段と、
前記画素補間方法情報受信手段により受信された前記映像出力装置の画素補間方法情報と、当該再生装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備え、
前記映像出力装置は、
前記再生装置の前記要求信号送信手段により送信された前記要求信号を受信する要求信号受信手段と、
前記再生装置に対して、前記要求信号に応答して当該映像出力装置の画素補間方法情報を返信する画素補間方法情報返信手段と、
を備えることを特徴とする。
【０００９】
請求項３に記載の発明は、請求項１又は２に記載のスケーリング処理システムにおいて、
前記要求信号送信手段は、ＨＤＭＩのＣＥＣ（Consumer Electronics Control）ベンダコマンドにより前記要求信号を送信し、
前記画素補間方法情報返信手段は、ＨＤＭＩのＣＥＣベンダコマンドにより前記画素補間方法情報を返信することを特徴とする。
【００１０】
請求項４に記載の発明は、
ＨＤＭＩを介して接続された再生装置と接続される映像出力装置において、
スケーリング処理時の画素補間方法の優劣を決定する画素補間方法テーブルと、
前記再生装置に対して、当該再生装置のスケーリング処理時の画素補間方法を示す画素補間方法情報を要求する要求信号を送信する要求信号送信手段と、
前記要求信号に応答して前記再生装置から返信された画素補間方法情報を受信する画素補間方法情報受信手段と、
前記画素補間方法情報受信手段により受信された前記再生装置の画素補間方法情報と、当該映像出力装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備えることを特徴とする。
【００１１】
請求項５に記載の発明は、
ＨＤＭＩを介して接続された映像出力装置と接続される再生装置において、
スケーリング処理時の画素補間方法の優劣を決定する画素補間方法テーブルと、
前記映像出力装置に対して、当該映像出力装置のスケーリング処理時の画素補間方法を示す画素補間方法情報を要求する要求信号を送信する要求信号送信手段と、
前記要求信号に応答して前記映像出力装置から返信された画素補間方法情報を受信する画素補間方法情報受信手段と、
前記画素補間方法情報受信手段により受信された前記映像出力装置の画素補間方法情報と、当該再生装置の画素補間方法情報とを比較して、前記画素補間方法テーブルに基づいて前記再生装置と前記映像出力装置の何れの画素補間方法情報が高性能かを判断する判断手段と、
前記判断手段により高性能と判断された画素補間方法情報を保持する装置を、スケーリング処理に用いる装置として決定する決定手段と、
前記決定手段により決定された装置に、スケーリング処理させる制御を行う制御手段と、
を備えることを特徴とする。
【発明の効果】
【００１２】
本発明によれば、ＨＤＭＩを介して接続された出力装置と表示装置とを有するスケーリング処理システムにおいて、より好適な画素補間方法でのスケーリング処理を行うことができる。
このため、スケーリング処理に際して元の画質をできるだけ維持でき、より高画質な画質を実現することができる。
【図面の簡単な説明】
【００１３】
【図１】本発明のスケーリング処理システムの構成図である。
【図２】第１実施形態のスケーリング処理システムにおける再生装置及び映像出力装置の制御構成を示すブロック図である。
【図３】（ａ）は、画素補間方法テーブルを示す一例であり、（ｂ）は、画素補間方法テーブルの更新について説明するための図である。
【図４】再生装置及び映像出力装置の画素補間方法の比較方法について説明するための図である。
【図５】第１実施形態のスケーリング処理システムにおいて行われる機器決定処理を示すフローチャートである。
【図６】第２実施形態のスケーリング処理システムにおける再生装置及び映像出力装置の制御構成を示すブロック図である。
【図７】第２実施形態のスケーリング処理システムにおいて行われる機器決定処理を示すフローチャートである。
【発明を実施するための形態】
【００１４】
以下、本発明の実施の形態について図面を参照しながら説明する。なお、発明の範囲は図示例に限定されない。
【００１５】
（第１実施形態）
図１に示すように、スケーリング処理システム１は、再生装置１０と、映像出力装置２０と、を備えて構成されている。
再生装置１０と、映像出力装置２０とは、ＨＤＭＩ（High Definition Multimedia Interface）規格のＨＤＭＩケーブルＣにより相互に接続されており、ＨＤＭＩにより、再生装置１０から映像データや音声データが制御信号とともに映像出力装置２０側に送信される。
【００１６】
まず、再生装置１０の構成について説明する。
再生装置１０は、例えば、ＤＶＤ(Digital Versatile Disc)に記録された映像データ等の再生を行うＤＶＤレコーダである。
図２に示すように、当該再生装置１０は、この再生装置１０において再生される映像データに基づく映像を表示する映像出力装置２０と、ＨＤＭＩケーブルＣにより接続されており、再生される映像の映像データ等の各種データを、ＨＤＭＩケーブルＣを介して映像出力装置２０に送信する。
【００１７】
再生装置１０は、例えば、読み取り部１１と、デコーダ部１２と、映像処理部１３と、通信部１４と、キー操作部１５と、これら各部を統括制御する制御部１６と、等を備えて構成されている。
【００１８】
読み取り部１１は、例えば、図示しないＤＶＤに記録されたコンテンツデータを読み出してデコーダ部１２に出力する。
具体的に、読み取り部１１は、例えば、ＤＶＤの反射層にレーザ光を照射し、光電変換及び電流電圧変換によって反射光に応じた電圧信号を生成することにより、ＤＶＤに記録されたコンテンツデータを読み出して、読み出したコンテンツデータをデコーダ部１２に出力する。
【００１９】
デコーダ部１２は、読み取り部１１において読み出されたコンテンツデータに所定のデコード処理を行う。
具体的に、デコーダ部１２は、例えば、分離部、ビデオデコーダ、オーディオデコーダ（何れも図示省略。）等を備えて構成されており、分離部において、読み取り部１１から入力されたコンテンツデータを映像データ、音声データ、副映像データ等の複数のデータに分離し、分離した映像データをビデオデコーダに、音声データをオーディオデコーダに出力する。そして、ビデオデコーダにおいて、分離された映像データをＭＰＥＧ方式に従ってデコードし、オーディオデコーダにおいて、分離された音声データをＭＰＥＧオーディオ方式に従ってデコードする。
【００２０】
映像処理部１３は、デコーダ部１２から出力される映像データに所定のスケーリング処理を行う。
具体的に、映像処理部１３は、例えば、ＬＳＩ等により構成され、後述する映像出力装置２０の制御部３１によりスケーリング処理を実行する指示がなされた場合、この指示に応じてデコーダ部１２から出力される映像データにスケーリング処理を行う。
【００２１】
通信部１４は、映像処理部１３やデコーダ部１２から出力される各種データを、制御信号とともに映像出力装置２０等の外部機器に送信する。
具体的に、通信部１４は、ＨＤＭＩに対応するＨＤＭＩ端子を備え、ＨＤＭＩケーブルＣにより映像出力装置２０と接続されている。
ＨＤＭＩケーブルＣは、ＣＥＣ（Consumer Electronics Control）信号を通信するＣＥＣラインと、映像・音声信号を通信する映像・音声ラインと、を備えている。
ＣＥＣラインは、再生装置１０及び映像出力装置２０の各制御部１６、３１間でＣＥＣ信号を相互に送受できるように、双方向データ通信可能に構成されている。映像・音声ラインは再生装置１０から映像出力装置２０に通信部１４、２１を介して映像・音声信号の送信を行う。
ＣＥＣは、電源や入力切替などを制御する各社共通の汎用ベンダコマンドと、各メーカーが独自に定義できるオプションのベンダコマンドと、から構成されている。
本実施形態においては、このＨＤＭＩのＣＥＣベンダコマンドを利用して、双方向に各種情報のデータの送受信を実行する。このＣＥＣベンダコマンドを利用して送受信される各種情報のデータは、例えば、再生装置１０及び映像出力装置２０がそれぞれ保有する画素補間方法テーブルＴ１、Ｔ２のバージョン情報、画素補間方法テーブルＴ１、Ｔ２、再生装置１０及び映像出力装置２０の画素補間方法情報、等であり、詳細は後述する。
【００２２】
キー操作部１５は、ユーザが各種指示を入力する際に使用される。
具体的に、キー操作部１５は、例えば、ユーザが各種指示を入力するための複数のキーを備えており、ユーザによりキーの押下操作がなされると、押下されたキーに対応する入力操作信号を制御部１６に出力する。
【００２３】
制御部１６は、ＣＰＵ（Central Processing Unit）１６１、メモリ部１６２、ＲＯＭ（Read Only Memory）１６３等を備えて構成されている。
【００２４】
ＣＰＵ１６１は、再生装置１０の各部から入力された入力信号や、キー操作部１５における各種キーの押下操作に基づく入力操作信号等に応じて、ＲＯＭ１６３に格納された各種プログラムを実行するとともに、実行にかかるプログラムに基づいて再生装置１０の各部に出力信号を出力することにより、再生装置１０の動作全般を統括制御する。
【００２５】
メモリ部１６２は、例えば、ＲＡＭ（Random Access Memory）等の揮発性メモリからなるワークエリア１６２ａと、ＥＰＲＯＭ（Erasable Programmable ROM）等の不揮発性メモリからなるデータエリア１６２ｂと、を備えている。
ワークエリア１６２ａは、ＣＰＵ１６１によって各種プログラムが実行される際に生じる処理結果や、入力されたデータ等を記憶する。
データエリア１６２ｂには、スケーリング処理システム１におけるスケーリング処理時の画素補間方法の優劣を決定する画素補間方法テーブルＴ１が記憶されている。
【００２６】
画素補間方法テーブルＴ１には、「画素補間方法種類」の項目に、「優劣順位」の項目が対応づけられるように記憶されている。
すなわち、画素補間方法テーブルＴ１には、「画素補間方法種類」の項目に少なくとも１種類以上の画素補間方法が記憶されるようになっており、複数種類の画素補間方法が記憶されている場合には、「優劣順位」として、その優劣を決定する番号が振られている。
また、画素補間方法テーブルＴ１には、記憶された画素補間方法のうち、何れか１つを選択する識別子が備えられており、再生装置１０にて実行される画素補間方法が識別可能となっている。識別された画素補間方法は、後述する画素補間方法情報返信プログラム１６３ｂが実行される際に、制御部１６により再生装置１０の画素補間方法情報として抽出されることとなる。
また、画素補間方法テーブルＴ１には、当該画素補間方法テーブルＴ１のバージョンを表すバージョン情報が付加されている。
このバージョン情報は、後述する映像出力装置２０の画素補間方法テーブル更新プログラム３１３ａが実行される際に、映像出力装置２０の制御部３１の指示に応じ、抽出されることとなる。
【００２７】
具体的には、画素補間方法テーブルＴ１は、例えば、図３（ａ）に示すように、「画素補間方法種類」として、Ａ、Ｂ、Ｃ、Ｄの４種類の画素補間方法が記憶されており、「優劣順位」として各方法に対応して１〜４の番号が振られている。また、再生装置１０にて実行される画像補間方法である「Ａ」が、識別されている。
また、この画素補間方法テーブルＴ１には、画素補間方法テーブルＴ１がバージョン１であることを示すバージョン情報が「Ｖｅｒ．１」として付加されている。
なお、画素補間方法種類とは、具体的には、例えば、線形補間方法、３次元補間法、スプライン補間法などの公知の各種の画素間補間方法である。また、これらの方法の優劣順位とは、予め設定されてメモリ部１６２に記憶されるものである。
【００２８】
ＲＯＭ１６３は、例えば、不揮発性メモリからなるプログラム格納エリアを有しており、要求信号受信プログラム１６３ａ、画素補間方法情報返信プログラム１６３ｂ等を格納している。
【００２９】
要求信号受信プログラム１６３ａは、例えば、ＣＰＵ１６１に、再生装置１０のスケーリング処理における画素補間方法を示す画素補間方法情報を要求する要求信号を受信する機能を実現させるためのプログラムである。
具体的には、ＣＰＵ１６１は、後述する映像出力装置２０の要求信号送信プログラム３１３ｂの実行により、映像出力装置２０から要求信号が送信された場合、要求信号受信プログラム１６３ａを実行させることにより、これを受信する。
ＣＰＵ１６１は、かかる要求信号受信プログラム１６３ａを実行することにより、通信部１４とともに要求信号受信手段として機能する。
【００３０】
画素補間方法情報返信プログラム１６３ｂは、例えば、ＣＰＵ１６１に、映像出力装置２０に対して、再生装置１０の画素補間方法情報を返信する機能を実現させるためのプログラムである。
具体的には、ＣＰＵ１６１は、要求信号受信プログラム１６３ａの実行により、画素補間方法情報を要求する要求信号を受信した場合、この要求信号に応答して、メモリ部１６２のデータエリア１６２ｂに記憶された画素補間方法テーブルＴ１を参照して、再生装置１０の画素補間方法情報を抽出する。そして、ＣＰＵ１６１は、抽出した再生装置１０の画素補間方法情報を映像出力装置２０に対して返信する。
例えば、図３（ａ）の例では、ＣＰＵ１６１は、画素補間方法テーブルＴ１を参照して、再生装置１０の画素補間方法情報として「Ａ」を抽出し、その後、「Ａ」を映像出力装置２０に返信する。
このとき、ＣＰＵ１６１は、ＨＤＭＩのＣＥＣベンダコマンドを利用して画素補間方法情報を返信する。
ＣＰＵ１６１は、かかる画素補間方法情報返信プログラム１６３ｂを実行することにより、通信部１４とともに画素補間方法情報返信手段として機能する。
【００３１】
次に、映像出力装置２０の構成について説明する。
映像出力装置２０は、例えば、テレビジョン放送局又は再生装置１０等の外部機器から入力される映像データ等に基づいて、映像を表示するテレビジョン受像機である。
当該映像出力装置２０は、図２に示すように、映像データ等の各種データを入力する再生装置１０とＨＤＭＩケーブルＣにより接続されており、再生装置１０からＨＤＭＩケーブルＣを介して入力される映像データに基づいて、映像を表示する。
【００３２】
映像出力装置２０は、通信部２１と、信号受信部２２と、信号処理部２３と、切換部２４と、映像処理部２５と、音声処理部２６と、ＯＳＤ（(On Screen Display)回路２７と、表示部２８と、音声出力部２９と、キー操作部３０と、これら各部を統括制御する制御部３１と、等を備えて構成されている。
【００３３】
通信部２１は、再生装置１０等の外部機器から送信される映像データ等を受信する。
具体的に、通信部２１は、ＨＤＭＩに対応するＨＤＭＩ端子を備え、ＨＤＭＩケーブルＣにより再生装置１０と接続されている。
通信部２１は、ＨＤＭＩケーブルＣのＣＥＣラインと、映像・音声ラインとを介して、再生装置１０の通信部１４から制御信号とともに送信される映像データ、映像データを受信する。
【００３４】
信号受信部２２は、アンテナ・チューナ等を備え、テレビジョン放送局から発信される放送信号を受信する。
【００３５】
信号処理部２３は、信号受信部２２から入力される放送信号等に対して、復調・デコード等の所定の信号処理を行う。
【００３６】
切換部２４は、制御部３１による制御に従って、通信部２１に備わるＨＤＭＩ端子と、信号処理部２３との何れかに接続を切り替えることにより、入力されるデータを切換選択して、後述の映像処理部２５・音声処理部２６等に出力する。
【００３７】
映像処理部２５は、切換部２４から入力される映像データに対して各種の所定の映像処理を行って、映像信号を生成するとともに、生成した映像信号を表示部２８に出力する。
具体的に、映像処理部２５は、例えば、ＬＳＩ等により構成され、映像出力装置２０の制御部３１によりスケーリング処理を実行する指示がなされた場合、この指示に応じて切換部２４から出力される映像データにスケーリング処理を行う。
なお、映像処理部２５は、スケーリング処理以外にも画質調整処理等の各種処理を行うよう構成しても良い。
【００３８】
音声処理部２６は、切換部２４から入力される音声データに対して各種の所定の音声処理を行って、音声信号を生成するとともに、生成した音声信号を音声出力部２９に出力する。
【００３９】
ＯＳＤ回路２７は、表示部２８に出力される映像データに対して、メモリ部３１２等に格納された図示しないＯＳＤデータを合成する処理を行う。
【００４０】
表示部２８は、映像処理部２５から入力される映像データに基づいて映像を表示する。
具体的に、表示部２８は、例えば、ＬＣＤ(Liquid Crystal Display)等の図示しないディスプレイを備えており、映像処理部２５から入力された映像データに基づく映像や、ＥＰＧ（Electric Program Guide：電子番組表）を当該ディスプレイに表示する。
【００４１】
音声出力部２９は、音声処理部２６から入力される音声データに基づいて音声を出力する。
具体的に、音声出力部２９は、図示しないスピーカ等を備え、音声処理部２６から入力された音声データに基づく音声をスピーカから出力する。
【００４２】
キー操作部３０は、ユーザが各種指示を入力する際に使用される。
具体的に、キー操作部３０は、例えば、ユーザが各種指示を入力するための複数のキーを備えており、ユーザによりキーの押下操作がなされると、押下されたキーに対応する入力操作信号を制御部３１に出力する。
【００４３】
制御部３１は、ＣＰＵ３１１、メモリ部３１２、ＲＯＭ３１３等を備えて構成されている。
【００４４】
ＣＰＵ３１１は、映像出力装置２０の各部から入力された入力信号や、キー操作部３０における各種キーの押下操作に基づく入力操作信号等に応じて、ＲＯＭ３１３に格納された各種プログラムを実行するとともに、実行にかかるプログラムに基づいて映像出力装置２０の各部に出力信号を出力することにより、映像出力装置２０の動作全般を統括制御する。
【００４５】
メモリ部３１２は、例えば、ＲＡＭ等の揮発性メモリからなるワークエリア３１２ａと、ＥＰＲＯＭ等の不揮発性メモリからなるデータエリア３１２ｂと、を備えている。
ワークエリア３１２ａは、ＣＰＵ３１１によって各種プログラムが実行される際に生じる処理結果や、入力されたデータ等を記憶する。
データエリア３１２ｂには、スケーリング処理システム１におけるスケーリング処理時の画素補間方法の優劣を決定する画素補間方法テーブルＴ２が記憶されている。
画素補間方法テーブルＴ２は、上記した再生装置１０の画素補間方法テーブルＴ１と同様の構成であるため、その説明は省略する。
【００４６】
ＲＯＭ３１３は、例えば、不揮発性メモリからなるプログラム格納エリアを有しており、具体的には、画素補間方法テーブル更新プログラム３１３ａ、要求信号送信プログラム３１３ｂ、画素補間方法情報受信プログラム３１３ｃ、判断プログラム３１３ｄ、決定プログラム３１３ｅ、制御プログラム３１３ｆ、等を格納している。
【００４７】
画素補間方法テーブル更新プログラム３１３ａは、例えば、ＣＰＵ３１１に、再生装置１０の画素補間方法テーブルＴ１と、映像出力装置２０の画素補間方法テーブルＴ２とのバージョンが同一でない場合に、新しいバージョンに合わせて古いバージョンのテーブルを更新させるためのプログラムである。
具体的には、ＣＰＵ３１１は、スケーリング処理を行うに際し、まず、画素補間方法テーブル更新プログラム３１３ａを実行して、以下の画素補間方法テーブルのアップデート処理を実行する。
かかるアップデート処理においては、まず、ＣＰＵ３１１は、再生装置１０から画素補間方法テーブルＴ１のバージョン情報を取得し、映像出力装置２０の画素補間方法テーブルＴ２のバージョン情報と比較する。そして、画素補間方法テーブルＴ１、Ｔ２のバージョンが異なる場合に、以下の処理を実行する。
【００４８】
再生装置１０の画素補間方法テーブルＴ１が、映像出力装置２０の画素補間方法テーブルＴ２より新しいバージョンであった場合、ＣＰＵ３１１は、再生装置１０から画素補間方法テーブルＴ１を取得して、映像出力装置２０の画素補間方法テーブルＴ２をアップデートする。
具体的には、ＣＰＵ３１１は、再生装置１０に対して、再生装置１０の画素補間方法テーブルＴ１を映像出力装置２０に送信させる制御信号を送信する。すると、再生装置１０のＣＰＵ１６１は、この制御信号に応答して、メモリ部１６２のデータエリア１６２ｂに記憶された画素補間方法テーブルＴ１を抽出し、これを映像出力装置２０に対して送信する。次いで、ＣＰＵ３１１は、再生装置１０から送信された画素補間方法テーブルＴ１を用いて、画素補間方法テーブルＴ２をアップデートする。
【００４９】
一方、再生装置１０の画素補間方法テーブルＴ１が、映像出力装置２０の画素補間方法テーブルＴ２より古いバージョンであった場合、ＣＰＵ３１１は、映像出力装置２０の画素補間方法テーブルＴ２を再生装置１０に出力して、再生装置１０から画素補間方法テーブルＴ１をアップデートさせる。
具体的には、ＣＰＵ３１１は、再生装置１０に対して、映像出力装置２０の画素補間方法テーブルＴ２を送信する。すると、再生装置１０のＣＰＵ１６１は、画素補間方法テーブルＴ２を受信し、受信した画素補間方法テーブルＴ２を用いて、画素補間方法テーブルＴ１をアップデートする。
【００５０】
このとき、ＣＰＵ３１１は、ＨＤＭＩのＣＥＣベンダコマンドを利用して、バージョン情報や、画素補間方法テーブルＴ１の送受信を行う。
【００５１】
図３（ｂ）は、Ｖｅｒ．１の画素補間方法テーブルを、Ｖｅｒ．２の画素補間方法テーブルにアップデートした一例を示す図である。
Ｖｅｒ．１の画素補間方法テーブルでは、Ａ〜Ｄの４種類の画素補間方法種類が記憶されている。一方、Ｖｅｒ．２の画素補間方法テーブルでは、Ａ〜Ｆの６種類の画素補間方法種類が記憶されている。
そこで、Ｖｅｒ．１のテーブルに記憶されていない、Ｅ、Ｆの２種類の画素補間方法が、アップデートの際にテーブルに追加される。
画素補間方法の優劣順位が、例えば、Ｅ＞Ａ＞Ｆ＞Ｂ＞Ｃ＞Ｄである場合、Ｖｅｒ．１の画素補間方法テーブルでは、Ａ、Ｂ、Ｃ、Ｄの画素補間方法には、順に１、２、３、４の順位が割り振られることになるが、Ｖｅｒ．２の画素補間方法テーブルにアップデートすると、Ａ、Ｂ、Ｃ、Ｄ、Ｅ、Ｆの画素補間方法には、順に２、４、５、６、１、３の順位が振りなおされる。
そのため、例えば、画像補間方法「Ａ」の優劣順位は、「１」から「２」に変化する。
【００５２】
要求信号送信プログラム３１３ｂは、例えば、ＣＰＵ３１１に、再生装置１０に対して、再生装置１０の画素補間方法を示す画素補間方法情報を要求する要求信号を送信する機能を実現させるためのプログラムである。
具体的には、ＣＰＵ３１１は、画素補間方法テーブル更新プログラム３１３ａの実行により、再生装置１０の画素補間方法テーブルＴ１と、映像出力装置２０の画素補間方法テーブルＴ２とのバージョンを同一にした後、要求信号送信プログラム３１３ｂを実行して、再生装置１０に対して画素補間方法情報の要求信号を送信する。
このとき、ＣＰＵ３１１は、ＨＤＭＩのＣＥＣベンダコマンドを利用して要求信号を送信する。
ＣＰＵ３１１は、かかる要求信号送信プログラム３１３ｂを実行することにより、通信部２１とともに要求信号送信手段として機能する。
【００５３】
画素補間方法情報受信プログラム３１３ｃは、例えば、ＣＰＵ３１１に、上記の要求信号に応答して再生装置１０から返信された画素補間方法情報を受信する機能を実現させるプログラムである。
具体的には、ＣＰＵ３１１は、再生装置１０の画素補間方法情報返信プログラム１６３ｂの実行により、再生装置１０から前記要求信号が返信された場合、画素補間方法情報受信プログラム３１３ｃを実行させることにより、再生装置１０の画素補間方法情報を受信する。
ＣＰＵ３１１は、かかる画素補間方法情報受信プログラム３１３ｃを実行することにより、通信部２１とともに画素補間方法情報受信手段として機能する。
【００５４】
判断プログラム３１３ｄは、例えば、ＣＰＵ３１１に、再生装置１０の画素補間方法情報と、当該映像出力装置２０の画素補間方法情報とを比較して、画素補間方法テーブルＴ２に基づいて再生装置１０と映像出力装置２０の何れの画素補間方法情報が高性能かを判断する機能を実現させるプログラムである。
具体的には、ＣＰＵ３１１は、画素補間方法情報受信プログラム３１３ｃの実行により、再生装置１０の画素補間方法情報を受信すると、メモリ部３１２に記憶された画素補間方法テーブルＴ２を参照して、映像出力装置２０の画素補間方法情報と比較する。
そして、画素補間方法テーブルＴ２において、優劣順位の高い方を、高性能であると判断する。
例えば、図４に示すように、映像出力装置２０の画素補間方法情報が「Ｅ」の場合、再生装置１０の画素補間方法情報が「Ａ」であるなら、ＣＰＵ３１１は、映像出力装置２０の画素補間方法の方が高性能であると判断する。
ＣＰＵ３１１は、かかる判断プログラム３１３ｄを実行することにより、判断手段として機能する。
【００５５】
決定プログラム３１３ｅは、例えば、ＣＰＵ３１１に、判断プログラム３１３ｄの実行により高性能と判断された画素補間方法情報を保持する装置を、スケーリング処理に用いる装置として決定する機能を実現させるプログラムである。
具体的には、ＣＰＵ３１１は、判断プログラム３１３ｄの実行により、再生装置１０と映像出力装置２０の何れの画素補間方法情報が高性能か判断されると、高性能と判断された画素補間方法情報を保持する装置を、スケーリング処理に用いる装置として決定し、メモリ部３１２に記憶する。
例えば、図４の例では、ＣＰＵ３１１は、映像出力装置２０をスケーリング処理に用いる装置として決定する。
ＣＰＵ３１１は、かかる決定プログラム３１３ｅを実行することにより、決定手段として機能する。
【００５６】
制御プログラム３１３ｆは、例えば、ＣＰＵ３１１に、決定プログラム３１３ｅの実行により決定された装置に、スケーリング処理させる制御を行う機能を実現させるプログラムである。
具体的には、ＣＰＵ３１１は、決定プログラム３１３ｅの実行により、再生装置１０をスケーリング処理に用いる装置として決定した場合、制御プログラム３１３ｆを実行して再生装置１０の映像処理部１３に対してスケーリング処理の実行を指示する指示信号を出力する。
一方、映像出力装置２０をスケーリング処理に用いる装置として決定した場合、制御プログラム３１３ｆを実行して映像出力装置２０の映像処理部２５に対してスケーリング処理の実行を指示する指示信号を出力する。
ＣＰＵ３１１は、かかる制御プログラム３１３ｆを実行することにより、制御手段として機能する。
【００５７】
次に、本実施形態のスケーリング処理システム１の動作を説明する。
【００５８】
図５は、本実施形態におけるスケーリング処理システムによって実行される機器決定処理を示すフローチャートである。
なお、本処理を実行するにあたって、再生装置１０と映像出力装置２０とは、同一バージョンの画素補間方法テーブルＴ１、Ｔ２を備えていることとする。
【００５９】
機器決定処理が開始されると、まず、ステップＳ１０１において、映像出力装置２０の制御部３１は、通信部２１を介して画素補間方法情報を要求する要求信号を再生装置１０に対して送信する。
次いで、ステップＳ１０２において、再生装置１０の制御部１６は、通信部１４によって映像出力装置２０から送信された要求信号を受信する。
次いで、ステップＳ１０３において、再生装置１０の制御部１６は、通信部１４を介して画素補間方法情報を映像出力装置２０に対して返信する。
次いで、ステップＳ１０４において、映像出力装置２０の制御部３１は、通信部２１によって再生装置１０から返信された画素補間方法情報を受信する。
次いで、ステップＳ１０５において、映像出力装置２０の制御部３１は、再生装置１０の画素補間方法と、映像出力装置２０の画素補間方法とを比較し、画素補間方法テーブルＴ２に基づいて何れの画素補間方法情報が高性能かを判断する。
次いで、ステップＳ１０６において、映像出力装置２０の制御部３１は、高性能と判断された画素補間方法情報を保持する装置を、スケーリング処理に用いる装置として決定し、メモリ部３１２に記憶して本処理を終了する。
【００６０】
以上のように、本実施形態のスケーリング処理システム１によれば、ＨＤＭＩを介して接続された再生装置１０と映像出力装置２０とを有するスケーリング処理システム１において、画素補間方法情報の比較を行うことにより、より好適な画素補間方法でのスケーリング処理を行うことができる。
このため、スケーリング処理に際して元の画質をできるだけ維持でき、より高画質な画質を実現することができる。
【００６１】
また、ＨＤＭＩのＣＥＣベンダコマンドにより要求信号を送信し、ＨＤＭＩのＣＥＣベンダコマンドにより画素補間方法情報を返信しているため、情報量が多くとも対応可能となって、迅速な処理を実現することができる。
【００６２】
また、機器決定処理に際して、再生装置１０と映像出力装置２０の画素補間方法テーブルＴ１、Ｔ２を同一にすることにより、互いの画素補間方法の性能を互いに認識可能とできるため、スケーリング処理に適した機器をより好適に判断できる。
【００６３】
なお、ＨＤＭＩのＣＥＣは、画素補間方法情報の他、例えば、高画質化機能情報等のような他の情報の伝達に利用することもできる。
【００６４】
また、上記実施形態においては、映像出力装置２０が、画素補間方法テーブル更新プログラム３１３ａにより画素補間方法テーブルのアップデート処理を実行する構成を例示して説明したが、かかる画素補間方法テーブル更新プログラム３１３ａを再生装置１０に備え、再生装置１０により画素補間方法テーブルのアップデート処理が実行される構成とすることもできる。
すなわち、再生装置１０により画素補間方法テーブルのアップデート処理を実行し、その後、映像出力装置２０により機器決定処理を実行する構成とすることもできる。
【００６５】
（第２実施形態）
次に、本発明の第２実施形態について、第１実施形態と異なる点を中心に説明する。なお、第１実施形態と同一の構成については同一の符号を付して説明を省略する。
【００６６】
第２実施形態のスケーリング処理システム２は、再生装置１０Ａと、映像出力装置２０Ａと、を備えて構成されている。
【００６７】
図６に示すように、再生装置１０Ａは、例えば、読み取り部１１と、デコーダ部１２と、映像処理部１３と、通信部１４と、キー操作部１５と、これら各部を統括制御する制御部１７と、等を備えて構成されている。
【００６８】
制御部１７は、再生装置１０Ａの動作全般を統括制御するＣＰＵ１７１と、ワークエリア１７２ａ及びデータエリア１７２ｂを備えたメモリ部１７２と、プログラム格納エリアを有したＲＯＭ１７３と、等を備えて構成されている。
【００６９】
メモリ部１７２のデータエリア１７２ｂには、画素補間テーブルＴ３が記憶されている。
なお、画素補間テーブルＴ３は、第１実施形態の画素補間テーブルＴ１やＴ２と同様の構成であるため、詳細な説明は省略する。
【００７０】
ＲＯＭ１７３には、例えば、画素補間方法テーブル更新プログラム１７３ａ、要求信号送信プログラム１７３ｂ、画素補間方法情報受信プログラム１７３ｃ、判断プログラム１７３ｄ、決定プログラム１７３ｅ、制御プログラム１７３ｆ等が備えられている。
なお、これらの画素補間方法テーブル更新プログラム１７３ａ、要求信号送信プログラム１７３ｂ、画素補間方法情報受信プログラム１７３ｃ、判断プログラム１７３ｄ、決定プログラム１７３ｅ、制御プログラム１７３ｆは、それぞれ、第１実施形態における画素補間方法テーブル更新プログラム３１３ａ、要求信号送信プログラム３１３ｂ、画素補間方法情報受信プログラム３１３ｃ、判断プログラム３１３ｄ、決定プログラム３１３ｅ、制御プログラム３１３ｆと同様の機能を実現するものであるため、詳細な説明は省略する。
【００７１】
また、映像出力装置２０Ａは、通信部２１と、信号受信部２２と、信号処理部２３と、切換部２４と、映像処理部２５と、音声処理部２６と、ＯＳＤ回路２７と、表示部２８と、音声出力部２９と、キー操作部３０と、これら各部を統括制御する制御部３２と、等を備えて構成されている。
【００７２】
制御部３２は、映像出力装置２０Ａの動作全般を統括制御するＣＰＵ３２１と、ワークエリア３２２ａ及びデータエリア３２２ｂを備えたメモリ部３２２と、プログラム格納エリアを有したＲＯＭ３２３と、等を備えて構成されている。
【００７３】
メモリ部３２２のデータエリア３２２ｂには、画素補間テーブルＴ４が記憶されている。
なお、画素補間テーブルＴ４は、第１実施形態の画素補間テーブルＴ１やＴ２と同様の構成であるため、詳細な説明は省略する。
【００７４】
ＲＯＭ３２３には、例えば、要求信号受信プログラム３２３ａ、画素補間方法情報返信プログラム３２３ｂ等が備えられている。
なお、これらの要求信号受信プログラム３２３ａ、画素補間方法情報返信プログラム３２３ｂは、それぞれ、第１実施形態における要求信号受信プログラム１６３ａ、画素補間方法情報返信プログラム１６３ｂと同様の機能を実現するものであるため、詳細な説明は省略する。
【００７５】
図７は、本実施形態におけるスケーリング処理システム２によって実行される機器決定処理を示すフローチャートである。
なお、図７におけるステップＳ２０１、Ｓ２０４、Ｓ２０５、Ｓ２０６は、再生装置１０Ａの制御部１７により実行され、その具体的な処理内容は、第１実施形態における図５のステップＳ１０１、Ｓ１０４、Ｓ１０５、Ｓ１０６と同様であるため詳細な説明は省略する。
また、図７におけるステップＳ２０２、Ｓ２０３は、映像出力装置２０Ａの制御部３２により実行され、その具体的な処理内容は、第１実施形態における図５のステップＳ１０２、Ｓ１０３と同様であるため詳細な説明は省略する。
【００７６】
すなわち、本実施形態のスケーリング処理システム２においては、再生装置１０Ａの制御部１７が画素補間方法情報を要求する要求信号を送信し、映像出力装置２０Ａの制御部３２がこれに返信する構成である。再生装置１０Ａは、映像出力装置２０Ａからの返信に基づいて、画素補間方法情報を比較・判断して、スケーリング処理を実行する機器を決定する機器決定処理を実行する。そして、その後、再生装置１０Ａの制御部１７が、スケーリング処理の実行を指示する指示信号を再生装置１０Ａの映像処理部１３や、映像出力装置２０Ａの映像処理部２５に対して出力する。
また、再生装置１０Ａの制御部１７が、画素補間方法テーブル更新プログラム１７３ａによって、画素補間方法テーブルのアップデート処理を行う。
【００７７】
なお、上記実施形態においては、再生装置１０Ａが、画素補間方法テーブル更新プログラム１７３ａにより画素補間方法テーブルのアップデート処理を実行する構成であるが、かかる画素補間方法テーブル更新プログラム１７３ａを映像出力装置２０Ａに備え、映像出力装置２０Ａにより画素補間方法テーブルのアップデート処理が実行される構成とすることもできる。
すなわち、映像出力装置２０Ａにより画素補間方法テーブルのアップデート処理を実行し、その後、再生装置１０Ａにより機器決定処理を実行する構成とすることもできる。
【符号の説明】
【００７８】
１  スケーリング処理システム
１０  再生装置
１３  映像処理部
１４  通信部（要求信号受信手段、画素補間方法情報返信手段）
１６  制御部
１６２  メモリ部
１６２ａ  ワークエリア
１６２ｂ  データエリア
Ｔ１  画素補間方法テーブル
１６３  ＲＯＭ
１６３ａ  要求信号受信プログラム（要求信号受信手段）
１６３ｂ  画素補間方法情報返信プログラム（画素補間方法情報返信手段）
２０  映像出力装置
２１  通信部（要求信号送信手段、画素補間方法情報受信手段）
２５  映像処理部
３１  制御部
３１２  メモリ部
３１２ａ  ワークエリア
３１２ｂ  データエリア
Ｔ２  画素補間方法テーブル
３１３  ＲＯＭ
３１３ａ  画素補間方法テーブル更新プログラム（画素補間方法テーブル更新手段）
３１３ｂ  要求信号送信プログラム（要求信号送信手段）
３１３ｃ  画素補間方法情報受信プログラム（画素補間方法情報受信手段）
３１３ｄ  判断プログラム（判断手段）
３１３ｅ  決定プログラム（決定手段）
３１３ｆ  制御プログラム（制御手段）
２  スケーリング処理システム
１０Ａ  再生装置
１３  映像処理部
１４  通信部（要求信号送信手段、画素補間方法情報受信手段）
１７  制御部
１７２  メモリ部
１７２ａ  ワークエリア
１７２ｂ  データエリア
Ｔ３  画素補間方法テーブル
１７３  ＲＯＭ
１７３ａ  画素補間方法テーブル更新プログラム（画素補間方法テーブル更新手段）
１７３ｂ  要求信号送信プログラム（要求信号送信手段）
１７３ｃ  画素補間方法情報受信プログラム（画素補間方法情報受信手段）
１７３ｄ  判断プログラム（判断手段）
１７３ｅ  決定プログラム（決定手段）
１７３ｆ  制御プログラム（制御手段）
２０Ａ  映像出力装置
２１  通信部（要求信号受信手段、画素補間方法情報返信手段）
２５  映像処理部
３１  制御部
３１２  メモリ部
３１２ａ  ワークエリア
３１２ｂ  データエリア
Ｔ４  画素補間方法テーブル
３２３  ＲＯＭ
３２３ａ  要求信号受信プログラム（要求信号受信手段）
３２３ｂ  画素補間方法情報返信プログラム（画素補間方法情報返信手段）
【図１】
2011004148.tif 000003
【図２】
2011004148.tif 000004
【図３】
2011004148.tif 000005
【図４】
2011004148.tif 000006
【図５】
2011004148.tif 000007
【図６】
2011004148.tif 000008
【図７】
2011004148.tif 000009